(57)【要約】【課題】  簡易な構成でありながら、印刷機内に飛散するインキ、水、紙粉等が記録ヘッドの光出射部および光量補正手段における受光部に付着することを防止することができる印刷機を提供することを目的とする。【解決手段】  画像記録装置２５は、記録ヘッド２０１と、記録ヘッド移動機構２０２と、光量補正手段３００とを備える。記録ヘッド２０１は、光源２５１と、光学系レンズ２５２と、光出射部２５３と、当接部２５４とを備える。光量補正手段３００は、受光部３０１ａを有する光量センサ３０１と、カバーガラス３０２と、基板３０４と、円筒形状のカバー３０７と、カバー３０７を記録ヘッド２０１の方向へ付勢するバネ部材３０８とを備える。【選択図】        図５
2006103179.tif 000002
【特許請求の範囲】
【請求項１】
印刷版への画像の記録と、画像が記録された後の印刷版を使用しての印刷とを実行する印刷機において、
その外周部に印刷版を装着して回転する版胴と、
光出射部を有し、前記版胴の表面に沿って前記版胴の回転軸と平行な方向に移動するとともに前記印刷版に対して前記出射部から光を出射することにより前記印刷版に画像を記録する記録ヘッドと、
前記版胴の外周部に装着され、前記記録ヘッドにより画像が記録された印刷版にインキを供給するインキ供給装置と、
印刷時に、画像の記録時において前記記録ヘッドが移動する移動領域の側方の退避位置まで前記記録ヘッドを移動させる移動手段と、
前記記録ヘッドが前記退避位置に移動したときに、前記光出射部と対向する位置に配置された受光部を有し、前記光出射部から受ける光量を計測して前記記録ヘッドからの出射光量を補正する光量補正手段と、
前記記録ヘッドが前記退避位置に移動したときに前記光出射部と前記受光部とを外部から遮蔽する遮蔽手段と、
を備えることを特徴とする印刷機。
【請求項２】
請求項１に記載の印刷機において、
前記記録ヘッドは、前記退避位置に移動したときに前記遮蔽手段と当接する当接部を備え、
前記遮蔽手段は、前記受光部を包囲するように配設される筒状部材と、自然状態において前記筒状部材をその先端が前記記録ヘッドの当接部における先端よりも突出するように前記記録ヘッドの方向へ付勢する付勢手段と、を備える印刷機。
【請求項３】
請求項２に記載の印刷機において、
前記記録ヘッドの当接部における前記移動領域から前記退避位置への進行方向先端部が、断面テーパ状に形成される印刷機。
【請求項４】
請求項１乃至請求項３のいずれかに記載の印刷機において、
前記移動領域と前記退避位置との間に、前記記録ヘッドの移動用の開口部が形成された遮蔽板を備える印刷機。
【請求項５】
請求項４に記載の印刷機において、
前記遮蔽板は、前記版胴を軸支する側板である印刷機。
【請求項６】
印刷版面への画像の記録を実行する印刷版記録装置において、
その外周部に印刷版を装着して回転するドラムと、
光出射部を有し、前記ドラムの表面に沿って前記ドラムの回転軸と平行な方向に移動するとともに前記印刷版に対して前記光出射部から光を照射することにより前記印刷版に画像を記録する記録ヘッドと、
非記録時に、前記記録ヘッドが前記ドラムの側方外に位置する退避位置まで前記記録ヘッドを移動させる移動手段と、
前記記録ヘッドが前記退避位置に移動したときに前記光出射部と対向する位置に配置された受光部を有し、前記光出射部から受ける光量を計測して前記記録ヘッドからの出射光量を補正する光量補正手段と、
前記記録ヘッドが前記退避位置に移動したときに、前記光出射部と前記受光部とが互いに対面することで外部から遮蔽されるようにした遮蔽手段と、
を備えることを特徴とする印刷版記録装置。
【発明の詳細な説明】
【技術分野】
【０００１】
この発明は、印刷版への画像の記録と、画像が記録された後の印刷版を使用しての印刷とを実行する印刷機に関する。また、この発明は、印刷版面への画像の記録を実行する印刷版記録装置に関する。
【背景技術】
【０００２】
従来の一般的な印刷においては、製版工程において白黒二値画像の記録されたフィルムと印刷版とを密着させて露光することにより印刷版を作成し、この印刷版を印刷装置に装着した上で、印刷工程を実行していた。
【０００３】
一方、近年、このような製版工程と印刷工程とを一つの装置で実行することができる、デジタル印刷機と一般的に呼称される印刷機が提案されている。このデジタル印刷機においては、例えば、特許文献１に記載されるように、画像信号に基づき変調されたレーザービーム等により、印刷版を直接走査記録して印刷版に画像を形成する「コンピュータｔｏプレート」方式が採用されている。
【０００４】
特許文献１に記載されるような印刷機においては、その外周部に印刷版を装着する版胴、その外周部にブランケットを装着するブランケット胴、圧胴、版胴の外周部に装着された印刷版に画像を記録する画像記録装置、版胴の外周部に装着された印刷版にインキを供給するインキ供給装置等が同一空間内に配設されている。そして、版胴と、版胴の外周部に装着された印刷版に画像を記録する記録ヘッドとは、互いに近接する位置に配置されている。
【０００５】
このような製版工程と印刷工程とを一つの装置で実行することができる印刷機においては、印刷機においても記録ヘッドが版胴周辺に配置されているため、印刷機内に飛散するインキ、水、紙粉等が記録ヘッドに付着し、記録光量の低下を招き、印刷画像が不完全になるという問題が生じていた。このため、特許文献１に記載されるような印刷機では、記録ヘッドを定期的に清掃することが必要であった。
【０００６】
このため、特許文献２に記載されるように、印刷時には、インキ、水、紙粉等の飛散が少ない退避位置に移動する記録ヘッドを備える印刷機が提案されている。このような印刷機によれば、印刷機内に飛散するインキ、水、紙粉等の記録ヘッドへの付着を極力防止することができる。このため、特許文献２に記載されるような印刷機によれば、記録ヘッドの清掃回数を低減させることが可能となる。
【特許文献１】特表平１０−５１０４９０号
【特許文献２】特開２００４−２０９９６３号
【発明の開示】
【発明が解決しようとする課題】
【０００７】
しかしながら、特許文献２に記載されるような印刷機において、その印刷機内に記録ヘッドから出射される光を受けてその光量を補正するための光量補正手段を配設した場合には、印刷機内に飛散するインキ、水、紙粉等が光量補正手段に付着することを防止するために、光量補正手段のための遮蔽板等をさらに備えることが必要であった。
【０００８】
この発明は以上のような課題を解決するためになされたものであり、簡易な構成でありながら、印刷機内に飛散するインキ、水、紙粉等が記録ヘッドの光出射部および光量補正手段における受光部に付着することを防止することができる印刷機を提供することを目的とする。
【課題を解決するための手段】
【０００９】
請求項１に記載の発明は、印刷版への画像の記録と、画像が記録された後の印刷版を使用しての印刷とを実行する印刷機において、その外周部に印刷版を装着して回転する版胴と、光出射部を有し、前記版胴の表面に沿って前記版胴の回転軸と平行な方向に移動するとともに前記印刷版に対して前記出射部から光を出射することにより前記印刷版に画像を記録する記録ヘッドと、前記版胴の外周部に装着され、前記記録ヘッドにより画像が記録された印刷版にインキを供給するインキ供給装置と、印刷時に、画像の記録時において前記記録ヘッドが移動する移動領域の側方の退避位置まで前記記録ヘッドを移動させる移動手段と、前記記録ヘッドが前記退避位置に移動したときに前記光出射部と対向する位置に配設された受光部を有し、前記光出射部から受ける光量を計測して前記記録ヘッドからの出射光量を補正する光量補正手段と、前記記録ヘッドが前記退避位置に移動したときに前記光出射部と前記受光部とを外部から遮蔽する遮蔽手段とを備える。
【００１０】
請求項２に記載の発明は、請求項１に記載の印刷機において、前記記録ヘッドは、前記退避位置に移動したときに前記遮蔽手段と当接する当接部を備え、前記遮蔽手段は、前記受光部を包囲するように配設される筒状部材と、自然状態において前記筒状部材をその先端が前記記録ヘッドの当接部における先端よりも突出するように前記記録ヘッドの方向へ付勢する付勢手段とを備える。
【００１１】
請求項３に記載の発明は、請求項２に記載の印刷機において、前記記録ヘッドの当接部における前記移動領域から前記退避位置への進行方向先端部が、断面テーパ状に形成される。
【００１２】
請求項４に記載の発明は、請求項１乃至請求項３のいずれかに記載の印刷機において、前記移動領域と前記退避位置との間に、前記記録ヘッドの移動用の開口部が形成された遮蔽板を備える。
【００１３】
請求項５に記載の発明は、請求項４に記載の印刷機において、前記遮蔽板は、前記版胴を軸支する側板である。
【００１４】
請求項６に記載の発明は、印刷版面への画像の記録を実行する印刷版記録装置において、その外周部に印刷版を装着して回転するドラムと、光出射部を有し、前記ドラムの表面に沿って前記ドラムの回転軸と平行な方向に移動するとともに前記印刷版に対して前記光出射部から光を照射することにより前記印刷版に画像を記録する記録ヘッドと、非記録時に、前記記録ヘッドが前記ドラムの側方外に位置する退避位置まで前記記録ヘッドを移動させる移動手段と、前記記録ヘッドが前記退避位置に移動したときに前記光出射部と対向する位置に配置された受光部を有し、前記光出射部から受ける光量を計測して前記記録ヘッドからの出射光量を補正する光量補正手段と、前記記録ヘッドが前記退避位置に移動したときに、前記光出射部と前記受光部とが互いに対面することで外部から遮蔽されるようにした遮蔽手段とを備えることを特徴とする。
【発明の効果】
【００１５】
請求項１に記載の発明によれば、記録ヘッドが退避位置に移動したときに光出射部と受光部とを外部から遮蔽する遮蔽手段とを備えることから、簡易な構成でありながら、印刷機内に飛散するインキ、水、紙粉等が記録ヘッドの光出射部および光量補正手段における受光部に付着することを防止することが可能となる。
【００１６】
請求項２に記載の発明によれば、遮蔽手段は、受光部を包囲するように配設される筒状部材と、自然状態において筒状部材をその先端が記録ヘッドの当接部における先端よりも突出するように記録ヘッドの方向へ付勢する付勢手段とを備えることから、光出射部と受光部とを外部から効果的に遮断することが可能となる。
【００１７】
請求項３に記載の発明によれば、記録ヘッドの当接部における移動領域から退避位置への進行方向先端部が、断面テーパ状に形成されることから、遮蔽手段と記録ヘッドの当接部とをスムースに当接させることが可能となる。
【００１８】
請求項４に記載の発明によれば、移動領域と退避位置との間に、記録ヘッドの移動用の開口部が形成された遮蔽板を備えることから、印刷機内に飛散するインキ、水、紙粉等が記録ヘッドの光出射部および光量補正手段における受光部に付着することをより効果的に防止することが可能となる。
【００１９】
請求項５に記載の発明によれば、遮蔽板は、版胴を軸支する側板であることから、印刷機の構成を簡易にすることが可能となる。
【００２０】
請求項６に記載の発明は、記録ヘッドが退避位置に移動したときに、光出射部と受光部とが互いに対面することで外部から遮蔽されるようにした遮蔽手段とを備えることから、簡易な構成でありながら、印刷版記録装置内に飛散するパーティクル等が記録ヘッドの光出射部および光量補正手段における受光部に付着することを防止することが可能となる。
【発明を実施するための最良の形態】
【００２１】
以下、この発明の実施の形態を図面に基づいて説明する。図１は、この発明に係る印刷機の概要図である。
【００２２】
この印刷機は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００２３】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９をスプロケット１８との間で巻回した排紙胴１７とを有する。
【００２４】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００２５】
また、圧胴１５に隣接して配設された給紙胴１６は、圧胴１５と同一の直径を有する。この給紙胴１６は、給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００２６】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、グリッパが配設されている。圧胴１５のグリッパにより保持された印刷用紙の先端部は、圧胴１５から排紙胴１７への印刷用紙の受け渡し時に、排紙胴１７のいずれかのグリッパにより保持される。そして、この印刷用紙は、チェーン１９の移動に伴って、排紙部２８上に排出される。
【００２７】
圧胴１５は、ベルト２２を介して駆動モータ１０と連結されている。そして、圧胴１５、給紙胴１６、排紙胴１７、第１、第２のブランケット胴１３、１４は、各々その端部に付設されたギヤにより連結されている。さらに、第１のブランケット胴１３と第１の版胴１１、および、第２にブランケット胴１４と第２の版胴１２は、第１、第２のブランケット胴１３、１４が後述する印刷位置に配置された状態においては、その端部に付設されたギヤにより各々連結されている。従って、駆動モータ１０の駆動により、これらの給紙胴１６、圧胴１５、排紙胴１７、第１、第２のブランケット胴１３、１４、第１、第２の版胴１１、１２は、互いに同期して回転する。
【００２８】
第１の版胴１１の周囲には、印刷版に例えばブラック（Ｋ）のインキを供給するためのインキ供給装置２０ａと、印刷版に例えばマゼンダ（Ｍ）のインキを供給するためのインキ供給装置２０ｂと、印刷版に湿し水を供給するための湿し水供給装置２１ａ、２１ｂとが配置されている。また、第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２９】
さらに、第１の版胴１１または第２の版胴１２の周囲には、それぞれ、第１の版胴１１の外周部に印刷版を供給するための給版部２３と、第２の版胴１２の外周部に印刷版を供給するための給版部２４と、第１の版胴１１の外周部に装着された印刷版に画像を記録するための画像記録装置２５と、第２の版胴１２の外周部に装着された印刷版に画像を記録するための画像記録装置２６と、第１の版胴１１および第２の版胴１２に共通の排版部２９とが配置されている。
【００３０】
なお、画像記録装置２５、２６は、印刷時に記録ヘッド２０１を退避位置まで移動させる記録ヘッド移動機構２０２を備える（図２、図３参照）。この記録ヘッド移動機構２０２の構成については、後程詳細に説明する。
【００３１】
このような構成を有する印刷機においては、給版部２３における供給カセット３１から引き出された印刷版はカッター３２により所定のサイズに切断される。切断されたシート状の印刷版の先端部は、ガイドローラおよびガイド部材により案内され、第１の版胴１１の咥え爪に咥えられる。そして、第１の版胴１１が後述するモータ４３の駆動により回転し、印刷版が第１の版胴１１の外周部に巻き付けられ、印刷版の後端部は他方の咥え爪により咥えられる。
【００３２】
この状態において、第１の版胴１１を後述するモータ４３の駆動により低速で回転させながら、画像記録装置２５により第１の版胴１１の外周部に保持された印刷版の表面に変調されたレーザービームを照射し、画像を記録する。
【００３３】
同様に、給版部２４における供給カセット３３から引き出された印刷版はカッター３２により所定のサイズに切断される。切断されたシート状の印刷版の先端部は、ガイドローラおよびガイド部材により案内され、第２の版胴１２の咥え爪に咥えられる。そして、第２の版胴１２が後述するモータ４３の駆動により回転し、印刷版が第２の版胴１２の外周部に巻き付けられ、印刷版の後端部は他方の咥え爪により咥えられる。
【００３４】
この状態において、第２の版胴１２を後述するモータ４３の駆動により低速で回転させながら、画像記録装置２６により第２の版胴１２の外周部に保持された印刷版の表面に変調されたレーザービームを照射し、画像を記録する。
【００３５】
なお、第１の版胴１１の外周部には、ブラックのインキで印刷を行うための印刷版と、マゼンダのインキで印刷を行うための印刷版とが装着される。これら２枚の印刷版は、均等に振り分けられた状態（すなわち互いに１８０度離隔した状態）となる位置に配置され、画像記録装置２５はこれらの印刷版に画像を記録する。同様に、第２の版胴１２の外周部には、シアンのインキで印刷を行うための印刷版と、イエローのインキで印刷を行うための印刷版とが装着される。これら２枚の印刷版も、均等に振り分けられた状態となる位置に配置され、画像記録装置２６はこれらの印刷版に画像を記録して、製版工程が終了する。
【００３６】
製版工程が終了すれば、第１、第２の版胴１１、１２上の印刷版を用いて印刷用紙に印刷を行う印刷工程を実行する。この印刷工程は、次のようにして実行される。
【００３７】
すなわち、先ず、各湿し水供給装置２１および各インキ供給装置２０を第１、第２の版胴１１、１２上に保持された印刷版のうち対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３８】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンダとイエローのインキが転写される。
【００３９】
このようにして、４色の印刷が終了した印刷用紙の先端部は、圧胴１５から排紙胴１７に渡される。そして、４色の印刷が終了した印刷用紙は、一対のチェーン１９の駆動により、排紙部２８に向けて搬送されて排出される。
【００４０】
印刷が終了すれば、印刷に使用した印刷版を排版部２９に排出する。そして、図示しないブランケット胴洗浄装置により第１、第２のブランケット胴１３、１４を洗浄して印刷工程を終了する。
【００４１】
このような印刷機においては、印刷時において、画像記録装置２５、２６における記録ヘッドと第１、第２の版胴１１、１２とが互いに近接する位置に配置された場合には、印刷機内に飛散するインキ、水、紙粉等が記録ヘッドに付着しやすくなる。また、このような印刷機において、印刷機内に後程詳細に説明するような記録ヘッド２０１の光量補正手段３００を配置する場合には、印刷機内に飛散するインキ、水、紙粉等が光量補正手段に付着しやすくなる。このため、この印刷機は、記録ヘッド２０１が退避位置に移動したときに、記録ヘッド２０１における光出射部と光量補正手段３００における受光部とを外部から遮蔽する遮蔽手段を備える構成を採用している。
【００４２】
以下、画像記録装置２５、２６の構成について説明する。図２は、この発明に係る印刷機における画像記録装置２５の要部を示す斜視図である。また、図３は、図２に対応する画像記録装置２５を示す概略側面図である。
【００４３】
なお、画像記録装置２６は、この画像記録装置２５と同様の構成を有するため、詳細な説明は省略する。
【００４４】
この画像記録装置２５は、記録ヘッド２０１と、記録ヘッド移動機構２０２と、記録ヘッド２０１から出射される光量を補正するための光量補正手段３００とを備える。記録ヘッド移動機構２０２は、軸受け２３０を介して第１の版胴１１を軸支する一対の側板２０９間に架設された支持部材２０４と、この支持部材２０４の側面に固定された一対のガイドレール２０８と、このガイドレール２０８と平行に配設されたボールねじ２０８とを有する。一対のガイドレール２０８とボールねじ２０７とは、第１の版胴１１の軸２３１と平行に配置されている。ボールねじ２０７は、支持部材２０４の一端に固定されたモータ２０６と減速機２０５を介して接続される。また、このボールねじ２０７は、記録ヘッド２０１を支持する支持板２１０に付設されたナット２１１と羅合している。このため、モータ２０６の駆動でボールねじ２０７を回転させることにより、記録ヘッド２０１を、第１の版胴１１の軸２３１と平行に移動させることができる。
【００４５】
このような記録ヘッド移動機構２０２により、記録ヘッド２０１は、画像の記録時には、図２および図３において実線で示す記録開始位置Ａと仮想線で示す記録終了位置Ｂとの間の移動領域２２０を低速で移動しながら第１の版胴１１の外周部に装着された印刷版に画像を記録する。画像記録が終了すると、記録ヘッド２０１は図２および図３において仮想線で示す移動領域２２０の側方の位置Ｃの退避位置２２１へ移動し、次の画像記録時まで待機する。
【００４６】
図４は退避位置２２１における記録ヘッド２０１周辺を示す概略斜視図であり、図５は退避位置２２１に移動した記録ヘッド２０１と光量補正手段３００とを示す概略側面図である。また、図６は記録ヘッド２０１と当接した状態の光量補正手段３００を示す側面図である。
【００４７】
記録ヘッド２０１は、その内部に配置される光源２５１と、光源２５１からの光を集光する光学系２５２と、光学系２５２を通過した光を出射する光出射部２５３と、光量補正手段３００と当接する当接部２５４とを備える。光源２５１は、二次元に配列された多数のＬＤから構成される。当接部２５４は、記録ヘッド２０１の移動領域２２０から退避位置２２１への進行方向先端部が断面テーパ状に形成される。
【００４８】
光量補正手段３００は、記録ヘッド２０１の光出射部２５３からの出射光を受ける受光部３０１ａを有する光量センサ３０１と、光量センサ３０１への光を調整するためのカバーガラス３０２と、光量センサ３０１と電気的に接続される基板３０４と、光量センサ３０１および基板３０４を支持する支持部材３０３と、光量センサ３０１およびカバーガラス３０２を包囲するように配設される円筒形状のカバー３０７と、カバー３０７を記録ヘッド２０１の方向へ付勢するバネ部材３０８と、カバー３０７のバネ部材３０８による記録ヘッド２０１方向への突出を制限する押さえ部材３１１とを備える。なお、光量センサ３０１およびカバーガラス３０２の記録ヘッド２０１側には、Ｏリング３０５を介して保護ガラス３０６が配設される。この保護ガラス３０６と支持部材３０３とはネジ３０９により固定され、基板３０４と支持部材３０３とはネジ３１０により固定される。また、押さえ部材３１１と支持部材３０３とは、ネジ３１２により固定される。バネ部材３０８は、板バネ等他の付勢手段でもよく、例えば、カバー３０７自体に可撓性を持たせて伸縮するようにしてもよい。
【００４９】
光量補正手段３００は、記録ヘッド２０１が退避位置２２１に移動したときに、光量センサ３０１およびカバーガラス３０２が記録ヘッド２０１の光出射部２５３と対向するように配置される。なお、光量センサ３０１は、光源２５１の全ＬＤを受光可能な受光面積を有しており、一つの光量センサ３０１で各ＬＤを順次計測することができる。カバー３０７は、自然状態において、その記録ヘッド２０１方向の先端が、記録ヘッド２０１における当接部２５４の光補正手段３００方向の先端よりも突出するように、バネ部材３０８により付勢される。このため、後述するように、記録ヘッド２０１とが退避位置２２１に移動したときに、光出射部２５３と光量センサ３０１およびカバーガラス３０２とが外部から効果的に遮蔽される。
【００５０】
なお、カバー３０７には、押さえ部材３１１が相対的に移動するための切欠部３０７ａが形成されている。このため、厳密には、記録ヘッド２０１の光出射部２５３および光量センサ３０１と外部との間には、この切欠部により空気が流通可能なわずかな空間が形成されることとなる。しかしながら、この空間を可能な限り小さくすることにより光出射部２５３と光量センサ３０１にインキ、水、紙粉等が付着することを効果的に防止することが可能となる。この明細書において、遮蔽とは、光出射部２５３および光量センサ３０１が外部から気密状態で遮断される場合だけではなく、光出射部２５３および光量センサ３０１が外部からわずかな隙間を有する状態で遮断される場合を含むものとする。なお、押さえ部材３１１がカバー３０７の上端以外を押さえることで、切欠部３０７ａをなくするようにしてもよい。
【００５１】
図７乃至図９は、記録ヘッド２０１が移動領域２２０から退避位置２２１へ移動するときの光量補正手段３００の状態を示す説明図である。なお、図７は当接部２５４と光量補正手段３００とが当接していない状態を、図８は当接部２５４の一部と光量補正手段３００とが当接した状態を、図９は当接部２５４と光量補正手段３００とが完全に当接した状態を示している。
【００５２】
記録ヘッド２０１が移動領域２２０から退避位置２２１へ移動するときには、光量補正手段３００におけるカバー３０７が、図７で示すように、その先端が当接部２５４の先端よりも突出するように配置されている。この状態において、記録ヘッド２０１が図８に示す位置まで移動すれば、カバー３０７の先端と当接部２５４の先端とが互いに押圧しながら当接する。このとき、当接部２５４の進行方向先端部が断面テーパ状に形成されているため、光量補正手段３００と記録ヘッド２０１とをスムースに当接させることが可能となる。
【００５３】
そして、図９に示すように、記録ヘッド２０１が退避位置２２１まで移動すれば、バネ部材３０８により記録ヘッド２０１方向に付勢されたカバー３０７を記録ヘッド２０１の当接部２５４が押圧することから、記録ヘッド２０１における光出射部２５３と光量補正手段３００における受光部３０１ａとを外部から効果的に遮蔽することが可能となる。このため、この実施形態に係る印刷機によれば、簡易な構成でありながら、印刷機内に飛散するインキ、水、紙粉等が記録ヘッド２０１の光出射部２５３および光量補正手段３００における受光部３０１ａに付着することを防止することが可能となる。
【００５４】
次に、この光量補正手段３００を利用して、光量を補正する工程について説明する。図１０は、光量補正手段３００による記録ヘッド２０１の光量を補正する工程を示すフローチャートである。
【００５５】
この記録ヘッド２０１の光量の補正は各ＬＤ毎に行われる。この記録ヘッド２０１の光量を補正するときには、先ず一のＬＤにのみ電圧を印加して光を出射する（ステップＳ１）。
【００５６】
ステップＳ１で一のＬＤから出射された光は、光量センサ３０１における受光部３０１ａに受光される（ステップＳ２）。
【００５７】
ステップＳ２で受光部３０１ａに受光された光は、電気信号に変換される。変換された電気信号は、基板３０４を通じて図示しない制御部に送られる。制御部に送られた電気が、当該制御部において計測される（ステップＳ３）。
【００５８】
そして、制御部において、ステップＳ３で計測された電気信号の電圧または電流値と、予め制御部に記憶されている基準となる基準電圧または電流値とが比較される（ステップＳ４）。
【００５９】
ステップＳ４で比較された結果、計測された電圧または電流値と基準電圧または電流値との間に所定以上の差があれば、ＬＤに印加される電圧が補正される。そして、ＬＤから出射される光量が補正される（ステップＳ５）。
【００６０】
同様にして、他のＬＤについて光量が補正される。そして、全てのＬＤの光量の補正が終了すれば、記録ヘッド２０１の光量の補正工程が終了する（ステップＳ６）。
【００６１】
なお、以上の実施形態において、光源２５１は二次元に配列された多数のＬＤから構成されているが、光源２５１は単一のＬＤから構成されてもよく、光量を制御することが可能なＬＤ以外の他の部材から構成されてもよい。
【００６２】
また、以上の実施形態においては、製版機能付きの印刷機における光量出射部および光量補正手段について説明しているが、この発明を光量出射部および光量補正手段を印刷機能のないＣＴＰ（印刷版記録装置）に適用してもよい。
【図面の簡単な説明】
【００６３】
【図１】この発明に係る印刷機の概要図である。
【図２】この発明に係る印刷機における画像記録装置２５の要部を示す斜視図である。
【図３】図２に対応する画像記録装置２５を示す概略側面図である。
【図４】退避位置２２１における記録ヘッド２０１周辺を示す概略斜視図である。
【図５】退避位置２２１に移動した記録ヘッド２０１と光量補正手段３００とを示す概略側面図である。
【図６】記録ヘッド２０１と当接した状態の光量補正手段３００を示す側面図である。
【図７】記録ヘッド２０１が移動領域２２０から退避位置２２１へ移動するときの光量補正手段３００の状態を示す説明図である。
【図８】記録ヘッド２０１が移動領域２２０から退避位置２２１へ移動するときの光量補正手段３００の状態を示す説明図である。
【図９】記録ヘッド２０１が移動領域２２０から退避位置２２１へ移動するときの光量補正手段３００の状態を示す説明図である。
【図１０】光量補正手段３００による記録ヘッド２０１の光量を補正する工程を示すフローチャートである。
【符号の説明】
【００６４】
１０      駆動モータ
１１      第１の版胴
１２      第２の版胴
１３      第１のブランケット胴
１４      第２のブランケット胴
１５      圧胴
１６      給紙胴
１７      排紙胴
２０      インキ供給装置
２１      湿し水供給装置
２２      ベルト
２３      給版部
２４      給版部
２５      画像記録装置
２６      画像記録装置
２７      給紙部
２８      排紙部
２９      排版部
２０１    記録ヘッド
２０２    記録ヘッド移動機構
２０４    支持部材
２０５    減速機
２０６    モータ
２０７    ボールねじ
２０８    ガイドレール
２０９    側板
２１０    支持板
２１１    ナット
２２０    移動領域
２２１    退避位置
２３０    軸受け
２３１    軸
２５１    光源
２５２    光学系
２５３    光出射部
２５４    当接部
３００    光量補正手段
３０１    光量センサ
３０１ａ  受光部
３０２    カバーガラス
３０３    支持部材
３０４    基板
３０５    Ｏリング
３０６    保護ガラス
３０７    カバー
３０８    バネ部材
３０９    ネジ
３１０    ネジ
３１１    押さえ部材
３１２    ネジ
【図１】
2006103179.tif 000003
【図２】
2006103179.tif 000004
【図３】
2006103179.tif 000005
【図４】
2006103179.tif 000006
【図５】
2006103179.tif 000007
【図６】
2006103179.tif 000008
【図７】
2006103179.tif 000009
【図８】
2006103179.tif 000010
【図９】
2006103179.tif 000011
【図１０】
2006103179.tif 000012